(57)【要約】【課題】両面原稿を複数枚短時間で、かつ画質劣化がない状態で読み取ることが可能な画像読み取り装置を提供する。【解決手段】原稿が両面画像の場合には、原稿自動搬送装置での流し読み動作を行い、ステップ３で得られたシェーディング補正係数に基づき原稿表面画像データを１ライン毎に補正しながら、原稿画像データをメモリに読み込ませる（ステップＳ８）。次に、原稿の裏面を読み取るために原稿の反転動作を行う（ステップ９）。原稿反転時に、ＣＰＵは、第１のミラーユニットを基準白板の下に移動させ、１ライン分のシェーディング補正用データを読み取り、演算で求めたシェーディング補正係数をシェーディング補正回路内の係数メモリにセットした（ステップＳ１０）後、第１のミラーユニットを流し読み原稿ガラスの下に移動させる（ステップＳ１１）。すなわち、原稿自動搬送装置によって搬送中の原稿が両面原稿の場合には、原稿読み取り後に原稿を反転するタイミングで、シェーディング補正係数が更新される。【選択図】    図１１
2004193741.tif 000002
【特許請求の範囲】
【請求項１】
複数枚の原稿を連続転送可能で、かつ原稿を反転し、原稿の両面を読み取り可能にさせる原稿自動送り手段と、原稿を照明する照明手段と、原稿画像をライン毎に電気信号に変換する光電変換手段と、原稿の反射光を前記光電変換手段に結像する光学手段とを備え、原稿を前記原稿自動送り手段により搬送しながら読み取る画像読み取り装置において、
前記光電変換手段により基準白板を読み取って得られた読み取りデータに基づいてシェーディング補正係数を算出する算出手段と、
該算出手段によって算出されたシェーディング補正係数により、前記照明手段、前記光電変換手段および前記光学手段のうち少なくとも１つの不均一性を画素毎に補正するシェーディング補正手段と、
原稿が両面読み取りの場合には、該原稿が前記原稿自動送り手段によって反転されるときに、前記算出手段により新たにシェーディング補正係数を算出し、前記シェーディング補正手段が用いるシェーディング補正係数を、該新たなシェーディング補正係数で更新する更新手段と
を有することを特徴とする画像読み取り装置。
【発明の詳細な説明】
【０００１】
【発明の属する技術分野】
本発明は、複数枚の原稿を連続転送可能で、かつ原稿を反転し、原稿の両面を読み取り可能にさせる原稿自動搬送手段を備え、該原稿自動搬送手段によって搬送された原稿の画像を読み取る画像読み取り装置に関する。
【０００２】
【従来の技術】
従来、原稿自動搬送手段を備え、該原稿自動搬送手段によって搬送された原稿の画像を読み取る画像読み取り装置として、複写機が知られている。
【０００３】
このような複写機では、原稿自動搬送装置で原稿を読み取り装置の原稿台ガラスに移動・載置後に、照明光源を搭載したミラーユニットを原稿台ガラス上に移動させることにより、原稿の画像を読み取るようにしていた。
【０００４】
しかし、最近では単位時間当たりの原稿読み取り枚数を増加させるために、ミラーユニットを所定位置で固定し、原稿自動搬送装置で原稿を読み取り装置に送りながら原稿画像を読み取る、いわゆる流し読み方式が採用されつつある。
【０００５】
図１は、このよう流し読み方式を採用したカラー複写機の構成を示す断面図である。
【０００６】
同図において、カラー複写機は、原稿自動搬送装置２００と、イメージスキャナ部２０１と、プリンタ部２０２とにより、主として構成されている。
【０００７】
原稿自動搬送装置２００は、原稿をイメージスキャナ部２０１に搬送する。
【０００８】
イメージスキャナ部２０１は、原稿を読み取り、デジタル信号処理を行う。
【０００９】
また、プリンタ部２０２は、イメージスキャナ部２０１で読み取られた原稿画像に対応した画像を記録用紙にフルカラーでプリント出力する。
【００１０】
イメージスキャナ部２０１において、原稿台ガラス２０３上の原稿２０４は、キセノン管ランプ２０５の光で照射され、原稿からの反射光は反射ミラー２０６および２０７に導かれ、レンズ２０９により３ラインセンサ２１０上に結像される。３ラインセンサ２１０は、反射光から、フルカラー情報である、レッド（Ｒ）成分、グリーン（Ｇ）成分およびブルー（Ｂ）成分にそれぞれ対応する電気信号を取り出して、信号処理部２１１に送信する。
【００１１】
信号処理部２１１では、送信された各電気信号に所定の信号処理を行い、プリンタ部２０２に出力する。プリンタ部２０２では、この信号に基づいて、原稿の複写画像を形成する。
【００１２】
なお、キセノン管ランプ２０５および反射ミラー２０６を有する第１のミラーユニット２０８は速度ｖで、反射ミラー２０７を有する第２のミラーユニット２０７１は速度ｖ／２で、３ラインセンサ２１０の電気的走査方向に対して垂直方向に、図示しないモータにより駆動されて、原稿全面が走査される。
【００１３】
また、原稿自動搬送装置２００を用いて原稿を流し読み方式で読み取る場合には、第１のミラーユニット２０８を流し読み原稿読み取りガラス１４の下に保持し、原稿を原稿自動搬送装置２００で連続して搬送することにより、原稿の連続読み取りを短時間で実現できる。
【００１４】
図２は、原稿自動搬送装置２００の構成を示す断面図であり、図３は、この原稿自動搬送装置２００によって原稿２０４が送られる様子を説明するための図である。
【００１５】
図３において、原稿２０４を原稿給紙トレイ９に置き、原稿の読み取り動作を開始すると、給紙ローラ８が原稿２０４上に下がり（（ａ））、原稿２０４の最上紙がピックアップされ、原稿２０４は、搬送ローラ６の回転によりレジストローラ下３およびレジストローラ上４に搬送される。レジストローラ下３およびレジストローラ上４ではシートにループが形成され、シートの斜行が補正される（（ｂ））。
【００１６】
次に、原稿２０４は、ローラ２により搬送ローラ大１に押しつけられ、搬送ローラ大１の回転に応じて搬送され、リードコロ小１３により原稿２０４が搬送ローラ大１から離れることを防止する（（ｃ））。
【００１７】
次に、原稿２０４は、流し読み原稿読み取りガラス１４上に搬送され、原稿画像表面の読み取りがなされ、原稿２０４は、リードコロ大１２により搬送ローラ大１からの分離を防止しながら、排紙ローラ上１１および排紙ローラ下１０に搬送される（（ｄ））。
【００１８】
次に、原稿２０４は排紙ローラ上１１および排紙ローラ下１０により排紙トレイ１５上に一旦搬送され（（ｅ））、ここで排紙ローラ上１１および排紙ローラ下１０を逆回転させることにより原稿２０４は反転された状態でローラ２まで搬送される（（ｆ））。ローラ２では、再びループが形成されシートの斜行が補正される（（ｇ））。
【００１９】
次に、原稿２０４は、ローラ２により搬送ローラ大１に押しつけられ、搬送ローラ大１の回転に応じて搬送され、リードコロ小１３により原稿２０４が搬送ローラ大１から離れることを防止する（（ｈ））。次に、原稿２０４は、流し読み原稿読み取りガラス１４上に搬送され、原稿画像裏面の読み取りがなされ、原稿２０４は、リードコロ大１２により搬送ローラ大１からの分離を防止しながら、排紙ローラ上１１および排紙ローラ下１０に搬送される（（ｉ））。そして、原稿２０４は排紙ローラ上１１および排紙ローラ下１０により排紙トレイ１５上に一旦搬送される。（（ｊ））。
【００２０】
この時点で、原稿は原稿給紙トレイ９に載置された状態と裏返した状態になっているため、排紙された原稿が原稿給紙トレイ９に載置されたときと同じ向きとなるように、更に原稿を反転させるために、排紙ローラ上１１および排紙ローラ下１０を逆回転させることにより、原稿２０４は、反転された状態でローラ２まで搬送される（（ｋ））。ローラ２では、再びループが形成されシートの斜行が補正される（（ｌ））。
【００２１】
次に、原稿２０４は、ローラ２により搬送ローラ大１に押しつけられ、搬送ローラ大１の回転に応じて搬送され、リードコロ小１３により原稿２０４が搬送ローラ大１から離れることを防止する（（ｍ））。そして、原稿２０４は、流し読み原稿読み取りガラス１４上に搬送され、リードコロ大１２により搬送ローラ大１からの分離を防止しながら、排紙ローラ上１１および排紙ローラ下１０に搬送され（（ｎ））、排紙ローラ上１１および排紙ローラ下１０により排紙トレイ１５に排紙される（（ｏ））。
【００２２】
複数枚の原稿を読み取る場合には、以下、（ａ）から（ｏ）の動作を原稿給紙トレイ９に載置された原稿がなくなるまで繰り返し続ける。
【００２３】
ここで、ローラ２、リードコロ小１３およびリードコロ大１２は、図示しないバネにより搬送ローラ大１に所定の圧力で押し付けられている。
【００２４】
また、搬送ローラ大１は、原稿２０４が流し読み原稿読み取りガラス１４に衝突する際のショックを吸収するように、図示しないバネで所定の圧力で流し読み原稿読み取りガラス１４に押し付けられている。
【００２５】
ここでは、原稿１枚を読み取る場合について説明したが、複数枚連続で読み取る場合には、各原稿搬送に所定の間隔をあけて、同様の動作を繰り返し続けることになる。
【００２６】
また、原稿を流し読み取り方式で読み取るときには、原稿を短時間に連続で読み取ることになるため、公知であるシェーディング補正のための標準白板の読み取りは１枚目の原稿を読み取る前にのみ行われ、原稿給氏トレイ９に載置された原稿２０４が全部読み取られるまでは、その読み取りデータを基に作成されたシェーディング補正係数を使用し続けることになる。
【００２７】
更に、単位時間当たりに読み取れる原稿枚数を増加させるためには、原稿をＣＣＤ（Ｃｈａｒｇｅｄ  Ｃｏｕｐｌｅｄ  Ｄｅｖｉｃｅ）ラインセンサなどで走査する速度を増加させることになる。ＣＣＤラインセンサは、原稿を走査する速度と出力信号レベルが反比例するため、原稿読み取り速度を上げても画質を劣化させないためには、原稿を照射する光源の光量を増加することが必要となる。
【００２８】
【発明が解決しようとする課題】
しかし、上記従来の画像読み取り装置において、両面原稿を読み取る場合には、上述のように一枚の原稿に対して原稿を反転させる動作が２度必要となるため、原稿給紙トレイ９に載置された原稿が多い場合には、全ての原稿を読み取り終わるまでの時間が非常に長くなるため、原稿を照明する光源の光量変動が無視できないレベルとなってしまい、原稿を読み取った画質が劣化してしまうという欠点があった。
【００２９】
更に、画面原稿の、単位時間当たりの読み取り枚数を画質劣化なく増加させるためには、原稿を照射する光源の光量を増加させなければならず、これにより、光源の昇温が激しくなったり、ランプの発光スペクトルが変動したり、更には装置全体が昇温したりして、ＣＣＤラインセンサの感度特性等に変動が生じてしまうなどの欠点があった。
【００３０】
本発明は、これら点に着目してなされたものであり、両面原稿を複数枚短時間で、かつ画質劣化がない状態で読み取ることが可能な画像読み取り装置を提供することを目的とする。
【００３１】
【課題を解決するための手段】
上記目的を達成するため、請求項１に記載の発明は、複数枚の原稿を連続転送可能で、かつ原稿を反転し、原稿の両面を読み取り可能にさせる原稿自動送り手段と、原稿を照明する照明手段と、原稿画像をライン毎に電気信号に変換する光電変換手段と、原稿の反射光を前記光電変換手段に結像する光学手段とを備え、原稿を前記原稿自動送り手段により搬送しながら読み取る画像読み取り装置において、前記光電変換手段により基準白板を読み取って得られた読み取りデータに基づいてシェーディング補正係数を算出する算出手段と、該算出手段によって算出されたシェーディング補正係数により、前記照明手段、前記光電変換手段および前記光学手段のうち少なくとも１つの不均一性を画素毎に補正するシェーディング補正手段と、原稿が両面読み取りの場合には、該原稿が前記原稿自動送り手段によって反転されるときに、前記算出手段により新たにシェーディング補正係数を算出し、前記シェーディング補正手段が用いるシェーディング補正係数を、該新たなシェーディング補正係数で更新する更新手段とを有することを特徴とする。
【００３２】
【発明の実施の形態】
以下、本発明の実施の形態を図面に基づいて詳細に説明する。
【００３３】
なお、本実施の形態では、本発明の適用例として複写機が示されているが、これに限るものではなく、他の種々の装置に適応できることは言うまでもない。
【００３４】
（第１の実施の形態）
図１は、本発明の第１の実施の形態に係る画像読み取り装置の概略構成を示す断面図であり、前述のように、本発明をカラー複写機に適用したものである。
【００３５】
同図において、本実施の形態の画像読み取り装置は、原稿自動搬送装置２００と、イメージスキャナ部２０１と、プリンタ部２０２とにより、主として構成されている。
【００３６】
原稿自動搬送装置２００は、原稿をイメージスキャナ部２０１に搬送する。
【００３７】
イメージスキャナ部２０１は、原稿を読み取り、デジタル信号処理を行う。
【００３８】
また、プリンタ部２０２は、イメージスキャナ部２０１で読み取られた原稿画像に対応した画像を記録用紙にフルカラーでプリント出力する。
【００３９】
イメージスキャナ部２０１において、原稿台ガラス（以下、「プラテン」という）２０３上の原稿２０４は、キセノン管ランプ２０５の光で照射され、原稿からの反射光は反射ミラー２０６および２０７に導かれ、レンズ２０９により３ラインセンサ２１０上に結像される。３ラインセンサ２１０は、反射光から、フルカラー情報である、レッド（Ｒ）成分、グリーン（Ｇ）成分およびブルー（Ｂ）成分にそれぞれ対応する電気信号を取り出して、信号処理部２１１に送信する。
【００４０】
信号処理部２１１では、送信された各電気信号に所定の信号処理を行い、プリンタ部２０２に出力する。プリンタ部２０２では、この信号に基づいて、原稿の複写画像を形成する。
【００４１】
なお、キセノン管ランプ２０５および反射ミラー２０６を有する第１のミラーユニット２０８は速度ｖで、反射ミラー２０７を有する第２のミラーユニット２０７１は速度ｖ／２で、３ラインセンサ２１０の電気的走査方向（以下、「主走査方向」という）に対して垂直方向（以下、「副走査方向」という）に、図示しないモータにより駆動されて、原稿全面が走査される。
【００４２】
標準白色板５１０２は、キセノン管ランプ２０５使用時の３ラインセンサ２１０の読み取りデータの補正データに用いる。
【００４３】
また、原稿自動搬送装置２００を用いて原稿を流し読み方式で読み取る場合には、第１のミラーユニット２０８を流し読み原稿読み取りガラス１４の下に保持し、原稿を原稿自動搬送装置２００で連続して搬送することにより、原稿の連続読み取りを短時間で実現できる。
【００４４】
信号処理部２１１では、３ラインセンサ２１０によって読み取られた画像信号をデジタル信号に変換し、所定の処理を施した後に、一旦メモリ（図示せず）に記憶し、原稿がカラー画像の場合には、プリンタ部２０２の画像形成プロセスに同期させてマゼンタ（Ｍ）、シアン（Ｃ）、イエロー（Ｙ）、ブラック（ＢＫ）の各成分に分解した画像信号をプリンタ部２０２に送信する。また、原稿が白黒画像の場合には、信号処理部２１１内の前記メモリに記憶した画像信号をデジタル処理し、プリンタ部２０２の画像形成プロセスに同期させてブラック（ＢＫ）成分の画像信号をプリンタ部２０２に送信する。
【００４５】
イメージスキャナ部２０１から送信されてくるＭ，Ｃ，Ｙ，ＢＫの各画像信号は、レーザドライバ２１２に送信される。レーザドライバ２１２は、送信された画像信号に応じて、半導体レーザ２１３を変調駆動する。レーザ光は、ポリゴンミラー２１４、ｆ−θレンズ２１５およびミラー２１６を介して、感光ドラム２１７上を走査する。
【００４６】
回転現像器２１８は、マゼンタ現像器２１９、シアン現像器２２０、イエロー現像器２２１およびブラック現像器２２２によって構成され、４つの現像器２１９〜２２２が交互に感光ドラム２１７に接し、感光ドラム２１７上に形成されたＭ，Ｃ，Ｙ，ＢＫの各静電潜像を対応するトナーで現像する。
【００４７】
転写ドラム２２３は、用紙カセット２２４または２２５から給紙された用紙を巻き付け、感光ドラム２１７上に現像されたトナー像を用紙に転写する。
【００４８】
このようにして、Ｍ，Ｃ，Ｙ，ＢＫの４色が順次転写された後に、用紙は定着ユニット２２６を通過して排紙される。
【００４９】
図５は、前記３ラインセンサ２１０の構成の一例を示す図である。
【００５０】
同図において、受光素子列２１０−１，２１０−２および２１０−３は、それぞれＲ，Ｇ，Ｂの各波長成分を読み取るためのものである。
【００５１】
この３本の異なる光学特性をもつ受光素子列は、Ｒ，Ｇ，Ｂの各センサが原稿の同一ラインを読み取るべく互いに平行に配置されるように、同一のシリコンチップ上にモノリシックに構成されている。
【００５２】
図６は、上記図５の受光素子列を拡大した拡大図である。
【００５３】
同図に示すように、各センサ２１０−１〜２１０−３は、主走査方向に一画素当たり、たとえば１０μｍの幅を有している。そして、各センサ２１０−１〜２１０−３は、Ａ３原稿の短手方向（２９７ｍｍ）を４００ｄｐｉの解像度で読み取ることができるように、主走査方向に５０００画素ある。また、Ｒ，Ｇ，Ｂの各センサ２１０−１〜２１０−３のライン間距離は、たとえば８０μｍであり、４００ｌｐｉの副走査解像度に対して各８ラインずつ離れている。更に、各ラインセンサ２１０−１〜２１０−３は、Ｒ，Ｇ，Ｂの所定の分光特性を得るために、センサ表面に光学的なフィルタが形成されている。
【００５４】
図７は、イメージスキャナ部２０１の構成を示すブロック図である。
【００５５】
同図において、ＣＣＤ２１０から出力される画像信号は、アナログ信号処理部４００１に入力され、アナログ信号処理部４００１内で８ｂｉｔのデジタル画像信号に変換された後に、シェーディング補正部４００２に入力される。
【００５６】
図８は、アナログ信号処理部４００１の構成を示すブロック図である。ここでは、Ｒ，Ｇ，Ｂの処理回路が全て同一であるため、１色分の回路のみが示されている。
【００５７】
同図において、ＣＣＤ２１０から出力された画像信号は、サンプル＆ホールド（Ｓ／Ｈ）部４１０１でアナログ信号の波形を安定させるためにサンプル＆ホールドされる。図示しないＣＰＵは、電圧コントロール回路４１０３を介して、画像信号がＡ／Ｄ変換器４１０５のダイナミックレンジをフルに活用できるように、可変増幅器４１０３およびクランプ回路４１０２を制御する。Ａ／Ｄ変換器４１０５は、アナログ画像信号を、たとえば８ｂｉｔのデジタル画像信号に変換する。
【００５８】
図７に戻り、８ｂｉｔのデジタル画像信号は、シェーディング補正部４００２において、公知のシェーディング補正方法によってシェーディング補正が施される。シェーディングデータ読み取り時、３ラインセンサ２１０からの読み取り信号に対して、前記ＣＰＵは、標準白色板５１０２からの１ライン分の読み取り信号をラインメモリ４００３に記憶し、このラインメモリ４００３に記憶された各画素の読み取りデータを所定レベル、たとえば２４０にするためのシェーディング補正係数を画素毎に求め、これを１ライン分の係数メモリ４００５に記憶する。そして、実際の原稿読み取り時に３ラインセンサ２１０のライン読み取りによる各画素の出力に同期して、その画素に対応するシェーディング補正係数を係数メモリ４００５から読み出して、乗算器４００７で３ラインセンサ２１０からの各画素信号に乗算することによりシェーディング補正を行う。
【００５９】
次に、３ラインセンサ２１０の物理的距離の補正について説明する。
【００６０】
図６に示したように、センサ２１０の受光部２１０−１，２１０−２および２１０−３は一定の距離を隔てて配置されているため、ディレイ素子４０１および４０２によって、副走査方向の空間的ずれを補正している。具体的には、Ｂ信号に対して副走査方向で先に読み込まれたＲ，Ｇの各信号を副走査方向に遅延させて、Ｂ信号に重畳する。
【００６１】
第１のルックアップテーブル（以下、「ＬＵＴ」という）４００８は、原稿画像読み取り信号の階調性を補正するためのものである。図９に示す所定濃度の画像が描かれた原稿をプラテン２０３に載置し、原稿画像データを読み取り、図１０に示すように、読み取りレベル１００１に直線性がない場合には、直線性を得るために補正曲線１００２で入力信号を補正して、出力１００３を得るようにしている。
【００６２】
メモリ４００９は、画像信号を一旦記憶し、プリンタ部２０２に同期させて画像信号を出力する。また、メモリ４００９からは、所定濃度（以下、「ＰＧ」という）データを出力し、プリンタ部２０３によって、図９に示す画像と同様のＰＧ画像を生成する。
【００６３】
ｌｏｇ変換器４０３〜４０５は、ルックアップテーブルＲＯＭにより構成され、輝度信号を濃度信号に変換するものである。
【００６４】
第２のＬＵＴ４０１０は、第１のＬＵＴ４００８と同様の回路で、プリンタ部２０３の階調補正を行う。
【００６５】
メモリ４００９から出力されたＰＧデータに基づいたＰＧ画像は、イメージスキャナ部２０１によって読み取られ、この読み取られたデータとメモリ４００９から出力されたＰＧデータとが比較され、ＰＧ画像に直線性が得られない場合には、図１０に示すように、補正曲線で入力信号が補正されて出力される。
【００６６】
マスキングおよびＵＣＲ回路４０６は、公知のものであり、詳しい説明は省略するが、入力された３原色信号により、出力のためのＹ，Ｍ，Ｃ，ＢＫの信号が各読み取り動作のたびに順次所定のビット長、たとえば８ｂｉｔで出力される。
【００６７】
以上の各回路は、図示しないＣＰＵによって制御される。
【００６８】
以上のように構成された画像読み取り装置が実行する動作処理を、以下、図１１のフローチャートを用いて説明する。
【００６９】
図１１において、オペレータが原稿自動搬送装置２００の原稿給紙トレイ９に原稿をセットし、図示しない操作部より原稿が両面原稿であるか片面原稿であるかを指定し（ステップＳ１）、スタートキー（図示せず）によりコピー動作をスタートさせると（ステップＳ２）、不図示のＣＰＵは第１のミラーユニット２０８を基準白板５１０２の下に移動させ、１ライン分のシェーディング補正用データを読み取り、演算で求めたシェーディング補正係数をシェーディング補正回路４００２内の係数メモリ４００６にセットする（ステップＳ３）。
【００７０】
次に、第１のミラーユニット２０８を流し読み原稿ガラス１４の下に移動させる（ステップＳ４）。
【００７１】
次に、原稿が両面原稿であるか片面原稿であるかを判断し（ステップＳ５）、原稿が片面原稿のときには、原稿自動搬送装置２００の給紙ローラ８が原稿２０４上に下がり（図３（ａ））、原稿２０４の最上紙がピックアップされ、原稿２０４は搬送ローラ６の回転によりレジストローラ下３およびレジストローラ上４に搬送される。レジストローラ下３およびレジストローラ上４ではシートにループが形成され、シートの斜行が補正される（図３（ｂ））。
【００７２】
次に、原稿２０４はローラ２により搬送ローラ大１に押しつけられ、搬送ローラ大１の回転に応じて搬送され、リードコロ小１３により原稿２０４が搬送ローラ大１から離れることを防止する（図３（ｃ））。
【００７３】
次に、原稿２０４は流し読み原稿読み取りガラス１４上に搬送され、原稿画像の流し読み動作がなされ、原稿２０４は、リードコロ大１２により搬送ローラ大１からの分離を防止しながら、排紙ローラ上１１および排紙ローラ下１０に搬送される（図３（ｄ））。そして、原稿２０４は排紙ローラ上１１および排紙ローラ下１０により排紙トレイ１５に排紙される（図３（ｅ））。
【００７４】
このとき、ＣＰＵはステップ３で得られたシェーディング補正係数に基づき原稿画像データを１ライン毎に補正しながら、原稿画像データをメモリ４００９に読み込ませる（ステップＳ６）。
【００７５】
次に、原稿自動搬送装置２００に載置された原稿がなくなるまで原稿の流し読み動作（ステップＳ７，Ｓ６）を繰り返し（ステップＳ８）、原稿がなくなった時点でメモリ４００９から画像データを読み出し、プリンタ部２０２によりコピー画像を形成し（ステップＳ１７）、コピー動作を終了する。
【００７６】
一方、原稿が両面画像の場合には、原稿自動搬送装置２００での流し読み動作を行い、ステップ３で得られたシェーディング補正係数に基づき原稿表面画像データを１ライン毎に補正しながら、原稿画像データをメモリ４００９に読み込ませる（ステップＳ８）。
【００７７】
次に、原稿の裏面を読み取るために原稿の反転動作を行う（ステップ９）。排紙ローラ上１１および排紙ローラ下１０により排紙トレイ１５上に一旦搬送された原稿２０４は（図３（ｅ））、排紙ローラ上１１および排紙ローラ下１０を逆回転させることにより反転された状態でローラ２まで搬送される（図３（ｆ））。ここで、ローラ２では、再びループが形成されシートの斜行が補正される（図３（ｇ））。
【００７８】
次に、原稿２０４は、ローラ２により搬送ローラ大１に押しつけられ、搬送ローラ大１の回転に応じて搬送され、リードコロ小１３により原稿２０４が搬送ローラ大１から離れることを防止する（図３（ｈ））。
【００７９】
原稿反転時に、ＣＰＵは、第１のミラーユニット２０８を基準白板５１０２の下に移動させ、１ライン分のシェーディング補正用データを読み取り、演算で求めたシェーディング補正係数をシェーディング補正回路４００２内の係数メモリ４００６にセットした（ステップＳ１０）後、第１のミラーユニット２０８を流し読み原稿ガラス１４の下に移動させる（ステップＳ１１）。
【００８０】
次に、原稿２０４は流し読み原稿読み取りガラス１４上に搬送され、原稿画像の流し読み動作がなされ、原稿２０４は、リードコロ大１２により搬送ローラ大１からの分離を防止しながら、排紙ローラ上１１および排紙ローラ下１０に搬送される（図３（ｉ））。そして、原稿２０４は、排紙ローラ上１１および排紙ローラ下１０により排紙トレイ１５に排紙される（図３（ｊ））。
【００８１】
このとき、ＣＰＵは、ステップＳ１０で得られたシェーディング補正係数に基づいて、原稿裏面画像データを１ライン毎に補正しながら、原稿画像データをメモリ４００９に読み込ませる（ステップＳ１２）。
【００８２】
この時点で、原稿は原稿給紙トレイ９に載置された状態と裏返した状態になっているため、排紙された原稿が原稿給紙トレイ９に載置されたときと同じ向きとなるように、更に原稿を反転させるために、排紙ローラ上１１および排紙ローラ下１０を逆回転させることにより、原稿２０４は、反転された状態でローラ２まで搬送される（ステップＳ１３、図３（ｋ））。ローラ２では、再びループが形成されシートの斜行が補正される（図３（ｌ））。
【００８３】
次に、原稿２０４は、ローラ２により搬送ローラ大１に押しつけられ、搬送ローラ大１の回転に応じて搬送され、リードコロ小１３により原稿２０４が搬送ローラ大１から離れることを防止する（図３（ｍ））。そして、原稿２０４は、流し読み原稿読み取りガラス１４上に搬送され、リードコロ大１２により搬送ローラ大１からの分離を防止しながら、排紙ローラ上１１および排紙ローラ下１０に搬送され（図３（ｎ））、排紙ローラ上１１および排紙ローラ下１０により排紙トレイ１５に排紙される（図３（ｏ））。
【００８４】
原稿を裏面から表面に戻すときに、ＣＰＵは、原稿自動搬送装置２００に載置された原稿が残っているかどうかの判定を行い（ステップＳ１４）、原稿が残っている場合には、原稿反転時に第１のミラーユニット２０８を基準白板５１０２の下に移動させ、１ライン分のシェーディング補正用データを読み取り、演算で求めたシェーディング補正係数をシェーディング補正回路４００２内の係数メモリ４００６にセットした（ステップＳ１５）後、第１のミラーユニット２０８を流し読み原稿ガラス１４の下に移動させ（ステップＳ１６）、次の原稿の読み取りを実施する。
【００８５】
以降、原稿がなくなるまで、ステップＳ８からステップＳ１６までの処理を繰り返し、原稿がなくなった時点で、メモリ４００９から画像データを読み出し、プリンタ部２０２によりコピー画像を形成し（ステップＳ１７）、コピー動作を終了する。
【００８６】
なお、本実施の形態では、全ての原稿画像データをメモリ４００９に記憶させた後にプリント出力する方法について説明したが、原稿画像データをメモリ４００９に読み込みながらプリント出力する方法を採用してもよい。
【００８７】
また、本実施の形態では、原稿が片面原稿の場合には、１枚目の原稿読み取りの前にだけ、シェーディング補正係数の更新を行ったが、読み取り画像に不具合が出る場合には、原稿の複数枚毎にシェーディング補正係数の更新を行うことも可能である。
【００８８】
（第２の実施の形態）
上記第１の実施の形態では、片面原稿の流し読みを行うときには、１枚目の原稿読み取りの前に基準白板５１０２を読み取った画像データを基に演算して得られたシェーディング補正係数によって、全原稿のシェーディング補正を行ったが、流し読み原稿読み取りガラス１４の端部に貼付された光量基準白板１４１（図４参照）を読み取って得られたデータに応じて、シェーディング補正係数をリアルタイムで補正する公知の流し読み時のシェーディング補正方法を用いてもよい。例えば、連続原稿搬送中の紙間で光量基準白板１４１を読み取って得られるデータが２％低下したときには、原稿の読み取り画像信号のレベルが２％増加するように、補正係数をリアルタイムで変更して、キセノン管ランプ２０５の光量変動を補正する方法を用いてもよい。
【００８９】
図１２は、片面原稿を流し読みで読み取る場合に、原稿の紙間でシェーディング補正係数をリアルタイムで補正するときの動作を説明するフローチャート図である。本実施の形態は、上記第１の実施の形態とは、原稿が片面原稿の時の処理が異なるだけなので、片面原稿の処理についてのみ説明する。
【００９０】
図１２において、オペレータが原稿自動搬送装置２００の原稿給紙トレイ９に原稿をセットし、図示しない操作部より原稿が両面原稿であるか片面原稿であるかを指定し（ステップＳ１）、スタートキー（図示せず）によりコピー動作をスタートさせると（ステップＳ２）、不図示のＣＰＵは第１のミラーユニット２０８を基準白板５１０２の下に移動させ、１ライン分のシェーディング補正用データを読み取り、演算で求めたシェーディング補正係数をシェーディング補正回路４００２内の係数メモリ４００６にセットする（ステップＳ３）。
【００９１】
次に、第１のミラーユニット２０８を流し読み原稿ガラス１４の下に移動させる（ステップＳ４）。
【００９２】
次に、原稿が両面原稿であるか片面原稿であるかを判断し（ステップＳ５）、原稿が片面原稿のときには、原稿自動搬送装置２００の給紙ローラ８が原稿２０４上に下がり（図３（ａ））、原稿２０４の最上紙がピックアップされ、原稿２０４は搬送ローラ６の回転によりレジストローラ下３およびレジストローラ上４に搬送される。レジストローラ下３およびレジストローラ上４ではシートにループが形成され、シートの斜行が補正される（図３（ｂ））。
【００９３】
次に、原稿２０４はローラ２により搬送ローラ大１に押しつけられ、搬送ローラ大１の回転に応じて搬送され、リードコロ小１３により原稿２０４が搬送ローラ大１から離れることを防止する（図３（ｃ））。
【００９４】
次に、原稿２０４は流し読み原稿読み取りガラス１４上に搬送され、原稿画像の流し読み動作がなされ、原稿２０４は、リードコロ大１２により搬送ローラ大１からの分離を防止しながら、排紙ローラ上１１および排紙ローラ下１０に搬送される（図３（ｄ））。そして、原稿２０４は排紙ローラ上１１および排紙ローラ下１０により排紙トレイ１５に排紙される（図３（ｅ））。
【００９５】
このとき、ＣＰＵはステップ３で得られたシェーディング補正係数に基づき原稿画像データを１ライン毎に補正しながら、原稿画像データをメモリ４００９に読み込ませる（ステップＳ６）。
【００９６】
次に、原稿自動搬送装置２００に次に読み取る原稿があるかないかの判定を行い（ステップＳ７）、次に読み込む原稿がある場合には、流し読み原稿読み取りガラス１４の端部に貼付された光量基準白板１４１を読み取って得られたデータに応じて、シェーディング補正係数をリアルタイムで補正する（ステップＳ２１）。例えば、連続原稿搬送中の紙間で光量基準白板１４１を読み取って得られるデータが２％低下したときには、原稿の読み取り画像信号のレベルが２％増加するように、補正係数をリアルタイムで変更して、キセノン管ランプ２０５の光量変動を補正する。
【００９７】
次に、ステップＳ１８で補正されたシェーディング補正係数に基づいて、原稿画像データを１ライン毎に補正しながら、原稿画像データをメモリ４００９に読み込ませる（ステップＳ６）。
【００９８】
以下、載置された原稿がなくなるまで、原稿の流し読み動作（ステップＳ７，Ｓ２１，Ｓ６）を繰り返し、原稿がなくなった時点で、メモリ４００９から画像データを読み出し、プリンタ部２０２によりコピー画像を形成し（ステップＳ１７）、コピー動作を終了する。
【００９９】
なお、本実施の形態では、原稿が両面原稿であるか片面原稿であるかをオペレータが指定する方法を用いたが、これに限らず、画像読み取り装置が自動で判別するようにしてもよい。
【０１００】
（第３の実施の形態）
図１３は、本発明の第３の実施の形態に係る画像読み取り装置が実行する動作処理の手順を示すフローチャートである。
【０１０１】
図１３において、オペレータが原稿自動搬送装置２００の原稿給紙トレイ９に原稿をセットし、図示しない操作部より原稿が両面原稿であるか片面原稿であるかを指定し（ステップＳ１）、スタートキー（図示せず）によりコピー動作をスタートさせると（ステップＳ２）、不図示のＣＰＵは第１のミラーユニット２０８を基準白板５１０２の下に移動させキセノン管ランプ２０５を点灯させ、１ライン分のシェーディング補正用データを読み取り、演算で求めたシェーディング補正係数をシェーディング補正回路４００２内の係数メモリ４００６にセットする（ステップＳ３）。
【０１０２】
次に、第１のミラーユニット２０８を流し読み原稿ガラス１４の下に移動させる（ステップＳ４）。
【０１０３】
次に、原稿が両面原稿であるか片面原稿であるかを判断し（ステップＳ５）、原稿が片面原稿のときには、原稿自動搬送装置２００の給紙ローラ８が原稿２０４上に下がり（図３（ａ））、原稿２０４の最上紙がピックアップされ、原稿２０４は搬送ローラ６の回転によりレジストローラ下３およびレジストローラ上４に搬送される。レジストローラ下３およびレジストローラ上４ではシートにループが形成され、シートの斜行が補正される（図３（ｂ））。
【０１０４】
次に、原稿２０４はローラ２により搬送ローラ大１に押しつけられ、搬送ローラ大１の回転に応じて搬送され、リードコロ小１３により原稿２０４が搬送ローラ大１から離れることを防止する（図３（ｃ））。
【０１０５】
次に、原稿２０４は流し読み原稿読み取りガラス１４上に搬送され、原稿画像の流し読み動作がなされ、原稿２０４は、リードコロ大１２により搬送ローラ大１からの分離を防止しながら、排紙ローラ上１１および排紙ローラ下１０に搬送される（図３（ｄ））。そして、原稿２０４は排紙ローラ上１１および排紙ローラ下１０により排紙トレイ１５に排紙される（図３（ｅ））。
【０１０６】
このとき、ＣＰＵは、ステップＳ３で得られたシェーディング補正係数に基づいて、原稿画像データを１ライン毎に補正しながら、原稿画像データをメモリ４００９に読み込ませる（ステップＳ６）。
【０１０７】
次に、原稿自動搬送装置２００に載置された原稿がなくなるまで原稿の流し読み動作（ステップＳ７，Ｓ６）を繰り返し、原稿がなくなった時点でキセノン管ランプ２０５を消灯させ（ステップＳ３１）、メモリ４００９から画像データを読み出し、プリンタ部２０２によりコピー画像を形成し（ステップＳ１７）、コピー動作を終了する。
【０１０８】
一方、原稿が両面画像の場合には、原稿自動搬送装置２００での流し読み動作を行い、ステップＳ３で得られたシェーディング補正係数に基づき原稿表面画像データを１ライン毎に補正しながら、原稿画像データをメモリ４００９に読み込ませる（ステップＳ８）。
【０１０９】
次に、原稿の裏面を読み取るために原稿の反転動作を行う（ステップＳ９）と同時にキセノン管ランプ２０５を消灯させる（ステップＳ３２）。排紙ローラ上１１および排紙ローラ下１０により排紙トレイ１５上に一旦搬送された原稿２０４は（図３（ｅ））、排紙ローラ上１１および排紙ローラ下１０を逆回転させることにより反転された状態でローラ２まで搬送される（図３（ｆ））。ここで、ローラ２では、再びループが形成されシートの斜行が補正される（図３（ｇ））。
【０１１０】
次に、原稿２０４は、ローラ２により搬送ローラ大１に押しつけられ、搬送ローラ大１の回転に応じて搬送され、リードコロ小１３により原稿２０４が搬送ローラ大１から離れることを防止する（図３（ｈ））。
【０１１１】
次に、反転した原稿２０４が読み取り位置の直前に到達したときにキセノン管ランプ２０５を点灯させ（ステップＳ３３）、原稿２０４が流し読み原稿読み取りガラス１４上に搬送され（ステップＳ１１）、原稿画像の流し読み動作が行われ、続いて原稿２０４は、リードコロ大１２により搬送ローラ大１からの分離を防止しながら、排紙ローラ上１１および排紙ローラ下１０に搬送される（図３（ｉ））。そして、原稿２０４は、排紙ローラ上１１および排紙ローラ下１０により排紙トレイ１５に排紙される（図３（ｊ））。
【０１１２】
このとき、ＣＰＵは、ステップＳ３で得られたシェーディング補正係数に基づいて、原稿裏面画像データを１ライン毎に補正しながら、原稿画像データをメモリ４００９に読み込ませる（ステップＳ１２）。
【０１１３】
この時点で、原稿は原稿給紙トレイ９に載置された状態と裏返した状態になっているため、排紙された原稿が原稿給紙トレイ９に載置されたときと同じ向きとなるように、更に原稿を反転させる（ステップＳ１３）と同時にキセノン管ランプ２０５を消灯させる（ステップＳ３４）。原稿２０４は、排紙ローラ上１１および排紙ローラ下１０を逆回転させることにより反転された状態でローラ２まで搬送される（図３（ｋ））。ローラ２では、再びループが形成されシートの斜行が補正される（図３（ｌ））。
【０１１４】
次に、原稿２０４は、ローラ２により搬送ローラ大１に押しつけられ、搬送ローラ大１の回転に応じて搬送され、リードコロ小１３により原稿２０４が搬送ローラ大１から離れることを防止する（図３（ｍ））。そして、原稿２０４は、流し読み原稿読み取りガラス１４上に搬送され、リードコロ大１２により搬送ローラ大１からの分離を防止しながら、排紙ローラ上１１および排紙ローラ下１０に搬送され（図３（ｎ））、排紙ローラ上１１および排紙ローラ下１０により排紙トレイ１５に排紙される（図３（ｏ））。
【０１１５】
原稿を裏面から表面に戻すときに、ＣＰＵは、原稿自動搬送装置２００に載置された原稿が残っているかどうかの判定を行い（ステップＳ１４）、原稿が残っている場合には、次の原稿を原稿自動搬送装置２００で読み取り位置へ搬送し、原稿２０４が読み取り位置の直前に到達したときにキセノン管ランプ２０５を点灯させる（ステップＳ３５）。そして、原稿２０４が流し読み原稿読み取りガラス１４上に搬送され（ステップＳ１６）、以降、原稿がなくなるまで、ステップＳ８からステップＳ１６までの処理を繰り返し、原稿がなくなった時点でメモリ４００９から画像データを読み出し、プリンタ部２０２によりコピー画像を形成し（ステップＳ１７）、コピー動作を終了する。
【０１１６】
なお、本実施の形態では、全ての原稿画像データをメモリ４００９を記憶させた後にプリント出力する方法について説明したが、原稿画像データをメモリ４００９に読み込みながらプリント出力する方法を採用してもよい。
【０１１７】
また、本実施の形態では、原稿が両面原稿であるか片面原稿であるかをオペレータが指定する方法を用いたが、これに限らず、画像読み取り装置が自動で判別するようにしてもよい。
【０１１８】
また、本実施の形態では片面原稿読み取り時には原稿を照射する光源を点灯し続ける方法について説明したが、光源の温度が所定値を越える場合や、光源の連続点灯時間が所定の時間以上に達した場合には、光源を消灯し、原稿の読み取り動作を一旦停止し、光源の温度が所定温度以下になったとき、または所定時間光源を消灯した後に原稿の読み取り動作を再開してもよい。
【０１１９】
なお、上述した各実施の形態の機能を実現するソフトウェアのプログラムコードを記録した記憶媒体を、システムまたは装置に供給し、そのシステムまたは装置のコンピュータ（またはＣＰＵやＭＰＵ）が記憶媒体に格納されたプログラムコードを読出し実行することによっても、本発明の目的が達成されることは言うまでもない。
【０１２０】
この場合、記憶媒体から読出されたプログラムコード自体が本発明の新規な機能を実現することになり、そのプログラムコードを記憶した記憶媒体は本発明を構成することになる。
【０１２１】
プログラムコードを供給するための記憶媒体としては、たとえば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。また、通信ネットワークを介してサーバコンピュータからプログラムコードが供給されるようにしてもよい。
【０１２２】
また、コンピュータが読出したプログラムコードを実行することにより、上述した各実施の形態の機能が実現されるだけでなく、そのプログラムコードの指示に基づき、コンピュータ上で稼働しているＯＳなどが実際の処理の一部または全部を行い、その処理によって上述した実施の形態の機能が実現される場合も含まれることは言うまでもない。
【０１２３】
さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって上述した各実施の形態の機能が実現される場合も含まれることは言うまでもない。
【０１２４】
以下、本発明の実施態様の例を列挙する。
【０１２５】
（実施態様１）  複数枚の原稿を連続転送可能で、かつ原稿を反転し、原稿の両面を読み取り可能にさせる原稿自動送り手段と、原稿を照明する照明手段と、原稿画像をライン毎に電気信号に変換する光電変換手段と、原稿の反射光を前記光電変換手段に結像する光学手段とを備え、原稿を前記原稿自動送り手段により搬送しながら読み取る画像読み取り装置において、
前記光電変換手段により基準白板を読み取って得られた読み取りデータに基づいてシェーディング補正係数を算出する算出手段と、
該算出手段によって算出されたシェーディング補正係数により、前記照明手段、前記光電変換手段および前記光学手段のうち少なくとも１つの不均一性を画素毎に補正するシェーディング補正手段と、
原稿が両面読み取りの場合には、該原稿が前記原稿自動送り手段によって反転されるときに、前記算出手段により新たにシェーディング補正係数を算出し、前記シェーディング補正手段が用いるシェーディング補正係数を、該新たなシェーディング補正係数で更新する更新手段と
を有することを特徴とする画像読み取り装置。
【０１２６】
（実施態様２）  複数枚の原稿を連続転送可能で、かつ原稿を反転し、原稿の両面を読み取り可能にさせる原稿自動送り手段と、原稿を照明する照明手段と、原稿画像をライン毎に電気信号に変換する光電変換手段と、原稿の反射光を前記光電変換手段に結像する光学手段とを備え、原稿を前記原稿自動送り手段により搬送しながら読み取る画像読み取り装置において、
前記光電変換手段により第１の基準白板を読み取って得られた読み取りデータに基づいてシェーディング補正係数を算出する算出手段と、
該算出手段によって算出されたシェーディング補正係数により、前記照明手段、前記光電変換手段および前記光学手段のうち少なくとも１つの不均一性を画素毎に補正するシェーディング補正手段と、
第２の基準白板の所定領域における画像読み取りデータに基づいて１ライン単位で前記照明手段および前記光学手段の少なくとも一方の変動を補正する光量変動補正手段と、
原稿が両面読み取りの場合と片面読み取りの場合とで、前記シェーディング補正手段と前記光量変動補正手段のいずれを採用するかを選択的に切り換える切り換え手段と
を有することを特徴とする画像読み取り装置。
【０１２７】
（実施態様３）  複数枚の原稿を連続転送可能で、かつ原稿を反転し、原稿の両面を読み取り可能にさせる原稿自動送り手段と、原稿を照明する照明手段と
を有し、原稿を前記原稿自動送り手段により搬送しながら読み取る画像読み取り装置において、
原稿が両面読み取りの場合には、該原稿が前記原稿自動送り手段によって反転されるときに、前記照明手段を消灯するように制御する制御手段
を有することを特徴とする画像読み取り装置。
【０１２８】
この実施態様３によれば、原稿自動搬送手段によって搬送する原稿が両面原稿の場合には、原稿の片面読み取り後に原稿を反転するタイミングで原稿を照射する光源が消灯されるので、光源の昇温をおさえ、画質劣化のない状態で両面原稿を複数枚短時間で読み取ることが可能となる。
【０１２９】
（実施態様４）  複数枚の原稿を連続転送可能で、かつ原稿を反転し、原稿の両面を読み取り可能にさせる原稿自動送り手段と、原稿を照明する照明手段と、原稿画像をライン毎に電気信号に変換する光電変換手段と、原稿の反射光を前記光電変換手段に結像する光学手段とを備え、原稿を前記原稿自動送り手段により搬送しながら読み取る画像読み取り装置を制御する制御方法において、
前記光電変換手段により基準白板を読み取って得られた読み取りデータに基づいてシェーディング補正係数を算出する算出ステップと、
該算出ステップによって算出されたシェーディング補正係数により、前記照明手段、前記光電変換手段および前記光学手段のうち少なくとも１つの不均一性を画素毎に補正するシェーディング補正ステップと、
原稿が両面読み取りの場合には、該原稿が前記原稿自動送り手段によって反転されるときに、前記算出ステップにより新たにシェーディング補正係数を算出し、前記シェーディング補正ステップが用いるシェーディング補正係数を、該新たなシェーディング補正係数で更新する更新ステップと
を有することを特徴とする画像読み取り装置の制御方法。
【０１３０】
（実施態様５）  複数枚の原稿を連続転送可能で、かつ原稿を反転し、原稿の両面を読み取り可能にさせる原稿自動送り手段と、原稿を照明する照明手段と、原稿画像をライン毎に電気信号に変換する光電変換手段と、原稿の反射光を前記光電変換手段に結像する光学手段とを備え、原稿を前記原稿自動送り手段により搬送しながら読み取る画像読み取り装置を制御する制御方法において、
前記光電変換手段により第１の基準白板を読み取って得られた読み取りデータに基づいてシェーディング補正係数を算出する算出ステップと、
該算出ステップによって算出されたシェーディング補正係数により、前記照明手段、前記光電変換手段および前記光学手段のうち少なくとも１つの不均一性を画素毎に補正するシェーディング補正ステップと、
第２の基準白板の所定領域における画像読み取りデータに基づいて１ライン単位で前記照明手段および前記光学手段の少なくとも一方の変動を補正する光量変動補正ステップと、
原稿が両面読み取りの場合と片面読み取りの場合とで、前記シェーディング補正ステップと前記光量変動補正ステップのいずれを採用するかを選択的に切り換える切り換えステップと
を有することを特徴とする画像読み取り装置の制御方法。
【０１３１】
（実施態様６）  複数枚の原稿を連続転送可能で、かつ原稿を反転し、原稿の両面を読み取り可能にさせる原稿自動送り手段と、原稿を照明する照明手段と
を有し、原稿を前記原稿自動送り手段により搬送しながら読み取る画像読み取り装置を制御する制御方法において、
原稿が両面読み取りの場合には、該原稿が前記原稿自動送り手段によって反転されるときに、前記照明手段を消灯する
ことを特徴とする画像読み取り装置の制御方法。
【０１３２】
（実施態様７）  複数枚の原稿を連続転送可能で、かつ原稿を反転し、原稿の両面を読み取り可能にさせる原稿自動送り手段と、原稿を照明する照明手段と、原稿画像をライン毎に電気信号に変換する光電変換手段と、原稿の反射光を前記光電変換手段に結像する光学手段とを備え、原稿を前記原稿自動送り手段により搬送しながら読み取る画像読み取り装置を制御する制御方法を実現するためのプログラムであって、
前記制御方法は、
前記光電変換手段により基準白板を読み取って得られた読み取りデータに基づいてシェーディング補正係数を算出する算出ステップと、
該算出ステップによって算出されたシェーディング補正係数により、前記照明手段、前記光電変換手段および前記光学手段のうち少なくとも１つの不均一性を画素毎に補正するシェーディング補正ステップと、
原稿が両面読み取りの場合には、該原稿が前記原稿自動送り手段によって反転されるときに、前記算出ステップにより新たにシェーディング補正係数を算出し、前記シェーディング補正ステップが用いるシェーディング補正係数を、該新たなシェーディング補正係数で更新する更新ステップと
を有する
ことを特徴とするプログラム。
【０１３３】
（実施態様８）  複数枚の原稿を連続転送可能で、かつ原稿を反転し、原稿の両面を読み取り可能にさせる原稿自動送り手段と、原稿を照明する照明手段と、原稿画像をライン毎に電気信号に変換する光電変換手段と、原稿の反射光を前記光電変換手段に結像する光学手段とを備え、原稿を前記原稿自動送り手段により搬送しながら読み取る画像読み取り装置を制御する制御方法を実現するためのプログラムであって、
前記制御方法は、
前記光電変換手段により第１の基準白板を読み取って得られた読み取りデータに基づいてシェーディング補正係数を算出する算出ステップと、
該算出ステップによって算出されたシェーディング補正係数により、前記照明手段、前記光電変換手段および前記光学手段のうち少なくとも１つの不均一性を画素毎に補正するシェーディング補正ステップと、
第２の基準白板の所定領域における画像読み取りデータに基づいて１ライン単位で前記照明手段および前記光学手段の少なくとも一方の変動を補正する光量変動補正ステップと、
原稿が両面読み取りの場合と片面読み取りの場合とで、前記シェーディング補正ステップと前記光量変動補正ステップのいずれを採用するかを選択的に切り換える切り換えステップと
を有する
ことを特徴とするプログラム。
【０１３４】
（実施態様９）  複数枚の原稿を連続転送可能で、かつ原稿を反転し、原稿の両面を読み取り可能にさせる原稿自動送り手段と、原稿を照明する照明手段と
を有し、原稿を前記原稿自動送り手段により搬送しながら読み取る画像読み取り装置を制御する制御方法を実現するためのプログラムであって、
前記制御方法は、
原稿が両面読み取りの場合には、該原稿が前記原稿自動送り手段によって反転されるときに、前記照明手段を消灯する
ことを特徴とするプログラム。
【０１３５】
【発明の効果】
以上説明したように、本発明によれば、原稿自動搬送手段によって搬送中の原稿が両面原稿の場合に、画質劣化のない状態で両面原稿を複数枚短時間で読み取ることが可能となる。
【図面の簡単な説明】
【図１】本発明の一実施の形態に係る画像読み取り装置の概略構成を示す断面図である。
【図２】図１の原稿自動搬送装置の構成を示す断面図である。
【図３】図２の原稿自動搬送装置によって原稿が送られる様子を説明するための図である。
【図４】本実施の形態の画像読み取り装置で用いられる流し読みガラスの底面図である。
【図５】本実施の形態の画像読み取り装置で用いられるＣＣＤセンサの構成を示す図である。
【図６】図５のＣＣＤセンサの受光素子の拡大図である。
【図７】本実施の形態の画像読み取り装置で用いられる信号処理部の構成を示すブロック図である。
【図８】本実施の形態の画像読み取り装置で用いられるアナログ信号処理部の構成を示すブロック図である。
【図９】ＰＧ画像の一例を示す図である。
【図１０】階調補正の一手法を説明するための図である。
【図１１】図１の画像読み取り装置が実行する動作処理の手順を示すフローチャートである。
【図１２】本発明の第２の実施の形態に係る画像読み取り装置が実行する動作処理の手順を示すフローチャートである。
【図１３】本発明の第３の実施の形態に係る画像読み取り装置が実行する動作処理の手順を示すフローチャートである。
【符号の説明】
１  搬送ローラ大
２  ローラ
３  レジストローラ下
４  レジストローラ上
６  搬送ローラ
８  給紙ローラ
９  原稿給紙トレイ
１０  排紙ローラ下
１１  排紙ローラ上
１２  リードコロ大
１３  リードコロ小
１４  流し読み原稿読み取りガラス
２００  原稿自動搬送装置
２０１  イメージスキャナ部
２０２  プリンタ部
２０３  原稿台ガラス
２０５  キセノン管ランプ
２０６，２０７  反射ミラー
２０７１  第２のミラーユニット
２０８  第１のミラーユニット
２０９  レンズ
２１０  ３ラインセンサ
２１１  信号処理部
２１２  レーザドライバ
２１３  半導体レーザ
２１４  ポリゴンミラー
２１５  ｆ−θレンズ
２１６  ミラー
２１７  感光ドラム
２１８  回転現像器
２２３  転写ドラム
２２４，２２５  用紙カセット
２２６  定着ユニット
５１０２  標準白色板
【図１】
2004193741.tif 000003
【図２】
2004193741.tif 000004
【図３】
2004193741.tif 000005
【図４】
2004193741.tif 000006
【図５】
2004193741.tif 000007
【図６】
2004193741.tif 000008
【図７】
2004193741.tif 000009
【図８】
2004193741.tif 000010
【図９】
2004193741.tif 000011
【図１０】
2004193741.tif 000012
【図１１】
2004193741.tif 000013
【図１２】
2004193741.tif 000014
【図１３】
2004193741.tif 000015